(57)【特許請求の範囲】
【請求項１】
熱湯を吐出する出湯管へ湯を導く出湯経路と、浄水を吐出する浄水管へ浄水を導く浄水経路と、後面に設け給湯器で発生した蒸気を排出する蒸気口へ蒸気を導く蒸気経路と、を備え、前記各経路をキッチン天板の下部へ導きキッチン天板に固定する開口部を有し、キッチン天板の上方向に突出するように設けられた水栓金具。
【発明の詳細な説明】
【０００１】
【発明が属する技術分野】
本発明は、熱湯と浄水が使用できる水栓金具に関するものである。
【０００２】
【従来の技術】
図４は従来使用されている水栓金具の構造を示す斜視図である。水栓金具１は、湯用ハンドル２または水用ハンドル３を操作することで、吐出口４から湯または水が得られるものである。また、５は湯用配管で給湯器に、６は水用配管で水道にそれぞれ接続されている。
【０００３】
以上の構成で、使用者が湯用ハンドル２と水用ハンドル３を操作することによって、吐出口４から湯あるいは水が簡単に得られるものである。
【０００４】
【発明が解決しようとする課題】
しかし前記従来の構成のものは、吐出口から熱湯を出すときに、火傷を負う可能性があるという課題を有している。すなわち、湯用ハンドル２あるいは水用ハンドル３を無意識的に操作したときに、水を出すつもりで熱湯が出ると言うことがあるものである。
【０００５】
【課題を解決するための手段】
本発明は、熱湯を吐出する出湯管へ湯を導く出湯経路と、浄水を吐出する浄水管へ浄水を導く浄水経路と、後面に設け給湯器で発生した蒸気を排出する蒸気口へ蒸気を導く蒸気経路と、を備え、前記各経路をキッチン天板の下部へ導きキッチン天板に固定する開口部を有し、キッチン天板の上方向に突出するように設けられるようにして、熱湯は熱湯専用
の吐出口から、浄水は浄水専用の吐出口から得るようにして、使用者の誤操作を防止でき、火傷の危険性を低減できる水栓金具としている。
【０００６】
また、給湯器との経路を短縮できて８０℃以上の熱湯を得ることができる水栓金具としている。
【０００７】
また、給湯器に専用の蒸気口を設けなくとも、給湯器から発生する蒸気をキッチンの外部へ排出できる水栓金具としている。
【０００８】
また、使用者が誤って蒸気によって火傷を負うことのない安全な水栓金具としている。
【０００９】
また、キッチンのシンクの下部などに設置した給湯器や浄水器との接続が容易な、施工が容易な水栓金具としている。
【００１０】
【発明の実施の形態】
請求項１に記載した発明は、熱湯を吐出する出湯管へ湯を導く出湯経路と、浄水を吐出する浄水管へ浄水を導く浄水経路と、後面に設け給湯器で発生した蒸気を排出する蒸気口へ蒸気を導く蒸気経路と、を備え、前記各経路をキッチン天板の下部へ導きキッチン天板に固定する開口部を有し、キッチン天板の上方向に突出するように設けられ、熱湯は熱湯専用の吐出口から、浄水は浄水専用の吐出口から得るようにして、使用者の誤操作を防止でき、火傷の危険性が低減できる水栓金具としている。
【００１１】
また、キッチン天板に固定され、上方向に突出した構成の水栓金具として、給湯器との経路を短縮できて８０℃以上の熱湯を得ることができる水栓金具としている。
【００１２】
また、給湯器で発生した蒸気を排出する蒸気口を設けた構成として、給湯器に専用の蒸気口を設けなくとも、給湯器から発生する蒸気をキッチンの外部へ排出できる水栓金具としている。
【００１３】
また、蒸気口を水栓金具の後面に設けるようにして、使用者が誤って蒸気によって火傷を負うことのない安全な水栓金具としている。
【００１４】
また、出湯管へ湯を導く出湯経路と、浄水管へ浄水を導く浄水経路と、蒸気口へ蒸気を導く蒸気経路と、前記各経路を水栓金具の外部へ導く開口部とを設けて、キッチンのシンクの下部などに設置した給湯器や浄水器との接続が容易な、施工が容易な水栓金具としている。
【００１５】
【実施例】
（実施例１）
以下本発明の第１の実施例について説明する。図１は本実施例の構成を示す斜視図である。本実施例の水栓金具１は、熱湯を吐出する出湯管７と浄水を吐出する浄水管８と、前記出湯管７側に設けている熱湯用ハンドル９と、前記浄水管８側に設けている浄水用ハンドル１０とを備えている。
【００１６】
熱湯用ハンドル９を操作すると、出湯管７に接続している湯沸かし器から吐出された熱湯が出湯管７から供給される。また、浄水用ハンドル１０を操作すると、浄水管８から浄水が供給される。すなわち、本実施例では、熱湯を吐出する出湯管７と、浄水を吐出する浄水管８をそれぞれ独立して設けているものである。また、出湯管７側に熱湯用ハンドル９を、浄水管８側に浄水用ハンドル１０を設けている。
【００１７】
以上のように本実施例によれば、熱湯を吐出する出湯管と、浄水を吐出する浄水管をそれぞれ独立して設けた構成の水栓金具としているため、熱湯専用の吐出口である出湯管７と、浄水専用の吐出口である浄水管８との区別が直感的にわかりやすく、誤操作のない操作ができるものである。すなわち、使用者の誤操作を防止でき、火傷の危険性を低減した水栓金具を実現できるものである。なお、出湯管７と浄水管８とを、形状もしくは色彩で区別できるように構成すれば、使用者の誤操作防止の効果をいっそう高めることができる。
【００１８】
（実施例２）
次に本発明の第２の実施例について説明する。図２は本実施例の構成を示す斜視図である。本実施例では、２つの電子スイッチ１１によって、熱湯の吐出と浄水の吐出とを使い分けるようにしているものである。すなわち、２つの電子スイッチが出湯管７用と浄水管８用に対応しているものである。つまり２つの電子スイッチ１１のうち一方を操作すると、熱湯を吐出する出湯管７の配管経路上に配設された弁が開いて、出湯管７から熱湯が吐出される。また、他方を操作すると浄水を吐出する浄水管８の配管経路上に配設された弁が開いて、浄水管８から浄水が吐出されるような構成となっている。これらの弁は個々に構成されていてもいいし、三方弁のような切り替え弁であってもいい。
【００１９】
この構成とした場合には、実施例１で説明した熱湯用ハンドル９あるいは浄水用ハンドル１０をいちいち回さなくても吐出操作ができるものである。すなわち操作性が良くなるものである。また、実施例１の構成のものに比べて、熱湯用ハンドル９と浄水用ハンドル１０が無いため、キッチンでの設置面積が少なく済むものである。このため、他の水栓金具との併設が可能となり、水栓金具を追加する際の設置工事が容易にできる。
【００２０】
以上のように本実施例によれば、吐出操作の操作性が良くなるばかりでなく、他の水栓金具との併設が可能となり、また水栓金具を新たに追加する際の設置工事が容易な水栓金具を実現できるものである。
【００２１】
（実施例３）
続いて本発明の第３の実施例について説明する。本実施例では、実施例１あるいは実施例２で説明している水栓金具１を、キッチンの天板に上方向に突出するように固定しているものである。図１および図２中の１２はキッチンの天板を示し、水栓金具１はキッチン天板に固定され、上方向に突出した構成となっている。
【００２２】
以上の構成とすることによって、キッチンのシンクの下部などに設置している給湯器や浄水器との接続が非常に容易となるものである。また、前記給湯器との接続経路の長さが短くて済むため、出湯管７から供給できる熱湯の温度は８０℃以上とすることができるものである。また、キッチンでの設置面積が少なく済むので、他の水栓金具との併設が可能となり、新たに水栓金具を追加する際の設置工事が容易にできるものである。
【００２３】
以上のように本実施例によれば、８０℃以上の熱湯や浄水が得ることができるようになると共に、他の水栓金具との併設が可能となり、新たに水栓金具を追加する際の設置工事が容易となる水栓金具を実現できるものである。
【００２４】
（実施例４）
続いて本発明の第４の実施例について説明する。本実施例では、図１あるいは図２に示しているように、蒸気口１３を水栓金具１に設けている。蒸気口１３は、キッチンのシンクの下部などに設置している給湯器に接続しており、前記給湯器を動作させたときに給湯器から発生する蒸気がこの蒸気口１３から排出されるものである。
【００２５】
従って本実施例の装置を使用したときには、キッチンのシンクの下部が湿ったり、温度が高くなったりすることを防止できる。また、水栓金具自体に蒸気口１３を設けているので、給湯器側に専用の蒸気口を設ける必要がないものである。またこのために、キッチンの天面がすっきりするだけでなく、設置工事が容易にできるものである。
【００２６】
このとき本実施例では、蒸気口１３を水栓金具１の前面以外に設けているものである。すなわち、図１に示しているものでは水栓金具１の後面に配置しているものである。また、図２に示しているものでは、水栓金具１の側面に配置しているものである。このため、使用者のいる方向に蒸気が排出されることがなく、使用者が誤って火傷などを負う可能性を低減でき安全な水栓金具を実現するものである。
【００２７】
以上のように本実施例によれば、キッチンのシンクの下部などに設置した給湯器の蒸気によってキッチンのシンクの下部が湿ったり、温度が高くなったりすることが防止できる。また、給湯器に蒸気口をわざわざ別に設ける必要がなく、キッチンの天面がすっきりすると共に、設置工事が容易にできる。また、使用者が排出される蒸気によって火傷を負ったりすることがなく、安全な水栓金具を実現できるものである。
【００２８】
（実施例５）
次に本発明の第５の実施例について説明する。図３は、本実施例の構成を示す断面図である。本実施例では、水栓金具１は、出湯管７へ湯を導く出湯経路１４と、浄水管８へ浄水を導く浄水経路１５と、蒸気口１３へ蒸気を導く蒸気経路１６と、前記各経路をキッチンの天板１２の下部へ導く開口部１７を有する構成としているものである。また、開口部１７の外周にはねじ部１８を設けており、ナット１９によって天板１２に固定している。
【００２９】
以上のように本実施例によれば、キッチンのシンクの下部などに設置した給湯器や浄水器との接続が非常に容易で、またキッチンの天板にも固定がしやすい施工が容易な水栓金具を実現できるものである。
【００３０】
【発明の効果】
請求項１に記載した発明は、熱湯を吐出する出湯管と、浄水を吐出する浄水管をそれぞれ独立して設けた構成としたので、使用者の誤操作を防止でき、火傷の危険性が低減できる水栓金具を実現できるものである。
【００３１】
また、キッチン天板に固定され、上方向に突出した構成として、給湯器との経路を短縮できて８０℃以上の熱湯を得ることができる水栓金具を実現するものである。
【００３２】
また、給湯器で発生した蒸気を排出する蒸気口を設けた構成として、給湯器に専用の蒸気口を設けなくとも、給湯器から発生する蒸気をキッチンの外部へ排出できる水栓金具を実現するものである。
【００３３】
また、蒸気口を水栓金具後面に設けた構成として、使用者が誤って蒸気によって火傷を負うことのない安全な水栓金具を実現するものである。
【００３４】
また、水栓金具は、出湯管へ湯を導く出湯経路と、浄水管へ浄水を導く浄水経路と、蒸気口へ蒸気を導く蒸気経路と、前記各経路を外部へ導く開口部を有する構成として、キッチンのシンクの下部などに設置した給湯器や浄水器との接続が容易な、施工が容易な水栓金具を実現するものである。
【図面の簡単な説明】
【図１】  本発明の第１の実施例である水栓金具の構成を示す斜視図
【図２】  本発明の第２の実施例である水栓金具の構成を示す斜視図
【図３】  本発明の第５の実施例である水栓金具の構成を示す断面図
【図４】  従来の水栓金具の構成を示す斜視図
【符号の説明】
１  水栓金具
７  出湯管
８  浄水管
９  熱湯用ハンドル
１０  浄水用ハンドル
１１  電子スイッチ
１２  キッチンの天板
１３  蒸気口
１４  出湯経路
１５  浄水経路
１６  蒸気経路
１７  開口部
１８  ねじ部
１９  ナット
【図１】
0004595168.tif 000002
【図２】
0004595168.tif 000003
【図３】
0004595168.tif 000004
【図４】
0004595168.tif 000005